【手続補正書】
【提出日】平成20年5月21日(2008.5.21)
【手続補正１】
【補正対象書類名】明細書
【補正対象項目名】特許請求の範囲
【補正方法】変更
【補正の内容】
【特許請求の範囲】
【請求項１】  基体と、
この基体に枢支され、倒伏して前記基体の外面部を外側から覆う倒伏位置と、起立して前記基体の外面部から離間する起立位置との間を回動可能な弾性を有するパネル板と、
前記基体に設けられ、前記起立位置にある前記パネル板をたわませて前記起立位置に保持する押圧部材と、を具備することを特徴とするパネル板装置。
【請求項２】  前記押圧部材は、前記基体の外面部に設けられた突起であり、この突起は、前記起立位置にある前記パネル板に対して前記倒伏位置側の位置から前記起立位置にある前記パネル板の下部となる側縁部の中央部を前記倒伏位置とは反対側へ向けて押圧して前記パネル板全体をたわませることを特徴とする請求項１に記載のパネル板装置。
【手続補正２】
【補正対象書類名】明細書
【補正対象項目名】０００１
【補正方法】変更
【補正の内容】
【０００１】
【発明の属する技術分野】
本発明は、基体にパネル板を起立位置と倒伏位置との間で回動可能に枢支したパネル板装置に関する。
【手続補正３】
【補正対象書類名】明細書
【補正対象項目名】０００４
【補正方法】変更
【補正の内容】
【０００４】
ところで、このパネル板を起立位置に回動した場合には、パネル板を基体に対して所定の角度で起立した状態に保持する必要がある。特に９０度以下の起立角度にパネル板を保持するためには、基体にパネルの自重を保持する手段を設けることが必要となる。
【手続補正４】
【補正対象書類名】明細書
【補正対象項目名】０００５
【補正方法】変更
【補正の内容】
【０００５】
従来、パネル板を起立位置に保持する手段として、例えば図６および図７に示す構成が採用されている。図６はパネル板およびその支持手段を示す斜視図、図７は支持手段の要部を示す断面図である。
すなわち、基体１の外面にはパネル板２が枢支部材３により基体１の上面を覆う倒伏位置と基体１の上面から離間する起立位置に亘って回動するように枢支され、パネル板２の基端部下面にはこれと一体に回動する円弧状をなす弾性腕４が設けられる。パネル板２は合成樹脂により形成され、弾性腕４はパネル板２と一体に形成される。
基体１の上面部には弾性腕４が基体１の内外に亘って挿通する孔５が形成され、基体１の内部にはパネル板２が起立位置にある時に、弾性腕４の下端部が弾性で係合する突起部材６が設けられている。
【手続補正５】
【補正対象書類名】明細書
【補正対象項目名】０００６
【補正方法】変更
【補正の内容】
【０００６】
この構成では、パネル板２を上向きに回動して起立させると、弾性腕４も一体に上向きに回動して突起部材６を弾性変形して乗り越えて突起部材６に弾性的に係合し、その位置で停止してパネル板２を起立位置に保持するものである。
【手続補正６】
【補正対象書類名】明細書
【補正対象項目名】０００７
【補正方法】変更
【補正の内容】
【０００７】
【発明が解決しようとする課題】
しかし、このようにしてパネル板２を起立位置に支持する構造では、パネル板２に円弧状をなす弾性腕４を一体形成する、あるいは一体に固定する必要がある。このため、パネル板２の構成が複雑になるとともに製作に手数を要して製作コストが高くなる。また、基体１は内部に突起部材６を設けるために、基体１の内部の構成が複雑になるとともに製作に手数を要して製作コストが高くなる。
【手続補正７】
【補正対象書類名】明細書
【補正対象項目名】０００８
【補正方法】変更
【補正の内容】
【０００８】
さらに、弾性腕４は材質的な弾性劣化または塑性変形により突起部材６に弾性的に係合することが困難になり、この結果、弾性腕４がパネル板２を起立位置に保持することが困難になる。
【手続補正８】
【補正対象書類名】明細書
【補正対象項目名】００１０
【補正方法】変更
【補正の内容】
【００１０】
【課題を解決するための手段】
上記目的を達成するため、本発明の一つの形態に係るパネル板装置は、
基体と、
この基体に枢支され、倒伏して前記基体の外面部を外側から覆う倒伏位置と、起立して前記基体の外面部から離間する起立位置との間を回動可能な弾性を有するパネル板と、
前記基体に設けられ、前記起立位置にある前記パネル板をたわませて前記起立位置に保持する押圧部材と、を具備することを特徴としている。
【手続補正９】
【補正対象書類名】明細書
【補正対象項目名】００１１
【補正方法】削除
【補正の内容】
【手続補正１０】
【補正対象書類名】明細書
【補正対象項目名】００１３
【補正方法】変更
【補正の内容】
【００１３】
【発明の実施の形態】
本発明の一実施の形態について図１ないし図３を参照して説明する。
この実施の形態は、複写機などの画像形成装置においてパネル板を備えた操作パネルに適用したものである。図１はパネル板が起立位置にある状態を示す斜視図、図２はパネル板が倒伏位置にある状態を示す斜視図、図３はパネル板を支持する手段を示すためにパネル板の一部を拡大して示す側面図である。
【手続補正１１】
【補正対象書類名】明細書
【補正対象項目名】００１６
【補正方法】変更
【補正の内容】
【００１６】
このパネル板２１は基体１１の上面部において、倒伏して各キー１２が配設された前側部領域を覆う倒伏位置Ａと、起立して各キー１２が配設された前側部領域から離間する起立位置Ｂとの間を回動するように枢支して設けられる。この実施の形態では、基体１１の上面部における後側部にパネル板２１の起立位置Ｂが設定され、倒伏位置Ａにある時に後側縁部となる側縁部（起立位置Ａで下側となる側縁部）の幅方向両端部には、幅方向に沿って水平な枢軸２３（図３に示す）が取付けられ、且つ基体１１の上面部の後側部には、パネル板２１の幅方向に間隔を存して一対の枢支突部１４が形成されている。パネル板２１の後側縁部となる側縁部が一対の枢支突部１４の間に配置され、その枢軸２３が基体１１の一対の枢支突部１４に支持されている。これにより、パネル板２１は一対の枢支突部１４および枢軸２３を中心として倒伏位置Ａと起立位置Ｂとの間を回動するように設けられる。
【手続補正１２】
【補正対象書類名】明細書
【補正対象項目名】００１８
【補正方法】変更
【補正の内容】
【００１８】
基体１１の上面部には、起立位置Ｂにあるパネル板２１の全体をたわませて起立位置Ｂに保持する突起１５が設けられている。突起１５は、押圧部材の一例である。この実施の形態では、突起１５は基体１１の上面部の後側部において、倒伏位置Ａにあるパネル板２１の後部であって、且つ幅方向中央部に位置して基体１１と一体に形成されている。突起１５は基体１１の前後方向に沿って延びており、その後端１５ａは、起立位置Ｂにあるパネル板２１に対して倒伏位置Ａ側の位置からパネル板２１の下側部となる側縁部の幅方向中央部を倒伏位置Ａとは反対側（起立位置Ｂ側）へ向けて押圧してパネル板２１全体をその弾性を利用してたわませるものである。
すなわち、パネル板２１を倒伏位置Ａから起立位置Ｂへ上向きに回動させる途中で、パネル板２１の下側縁部が突起１５の後端１５ａに接触し、且つパネル板２１が上向きに回動して行くに従いその下側縁部の幅方向中央部が後端１５ａにより倒伏位置Ａとは反対側（起立位置Ｂ側）へ向けて押されてパネル板２１全体が円弧状にたわむように、突起１５の後端１５ａが傾斜して形成されている。
パネル板２１は、幅方向両端が枢軸２３と枢支突部１４により一定位置で保持されているために、突起１５に押圧されたパネル板２１の下側縁部の中央部が倒伏位置Ａとは反対側（起立位置Ｂ側）へ向けて突出するように、パネル板２１全体が弾性で円弧状にたわむ。
【手続補正１３】
【補正対象書類名】明細書
【補正対象項目名】００１９
【補正方法】変更
【補正の内容】
【００１９】
そして、パネル板２１は所定の起立位置Ｂまで回動すると、最もたわんだ状態となって下側縁部が基体１１の上面部に当接する。図中１１ａは、パネル板２１の下側縁部が当接する基体１１の上面部の受け部である。この状態ではパネル板２１の下側縁部は、図１に破線で示すようにたわまないで基体１１の上面部に当接する場合に比較して大きな長さで受け部１１ａに当接するとともに、パネル板２１を起立状態で保持し易い円弧状で受け部１１ａに当接し、また広い範囲で受け部１１ａに当接するので、パネル板２１を安定して起立位置Ｂに保持することが可能である。
【手続補正１４】
【補正対象書類名】明細書
【補正対象項目名】００２２
【補正方法】変更
【補正の内容】
【００２２】
図示しないがパネル板２１の表面（倒伏位置Ａで上面）には、各キー１２毎に第一次的に使用するキーの機能を表示する文字が記載されている。基体１１の上面には、各キー１２毎に第二次的に使用するキーの機能を表示する文字が記載されている。図示しないが基体１１には、パネル板２１が倒伏位置Ａにある時にパネル板２１に押されて動作して画像形成装置本体に設けられた操作回路に信号を出力するスイッチが設けられている。すなわち、操作回路はパネル板２１が倒伏位置Ａにある時および起立位置Ｂにある時の夫々に応じてモードを切換えてキー１２の操作による信号を受けるようになっている。
【手続補正１５】
【補正対象書類名】明細書
【補正対象項目名】００２３
【補正方法】変更
【補正の内容】
【００２３】
このように構成された操作パネルでは、常時はパネル板２１が倒伏位置Ａに回動されており、この倒伏位置Ａでは各キー１２がパネル板２１のキー孔２２に嵌合してパネル板２１から上側へ突出する。操作者はパネル板２１に記載された機能表示を見てキー１２の操作を行う。この場合、突起１５はパネル板２１の後部の下側に位置してパネル板２１により覆われている。
【手続補正１６】
【補正対象書類名】明細書
【補正対象項目名】００２５
【補正方法】変更
【補正の内容】
【００２５】
このようにして基体１１に単純な形状の突起１５を形成するだけの簡素な構成でパネル板２１を安定して起立させることができ、しかも突起１５がパネル板２１を押圧していることによりパネル板２１の安定した起立を保つことができる。
さらに、単純な形状の突起１５は、基体１１に一体に成形できて製作が容易で製作コストが安価である。
【手続補正１７】
【補正対象書類名】明細書
【補正対象項目名】００２７
【補正方法】変更
【補正の内容】
【００２７】
図４において、３１は合成樹脂からなる掃除機本体で、この掃除機本体３１の上部には吸引した塵芥を取出すための取出し口（図示せず）が形成されている。３２は合成樹脂からなるパネル板で、このパネル板３２は一対の枢支突部３３により掃除機本体３１に枢支されている。パネル板３２は、取出し口を覆う倒伏位置Ａと取出し口から離間する起立位置Ｂとの間を回動することが可能である。
３４は掃除機本体３１に設けられた取っ手であり、この取っ手３４は起立位置Ｂにあるパネル板３２に対して倒伏位置Ａとは反対側に位置している。３５は掃除機本体３１において起立位置Ｂにあるパネル板３２に対して倒伏位置Ａ側に設けられた突起で、この突起３５は押圧部材の一例である後端３５ａが起立位置Ｂにあるパネル板３２に対して倒伏位置Ａ側の位置からパネル板３２の下側縁部となる側縁部の幅方向中央部を倒伏位置Ａとは反対側へ向けて押圧してパネル板３２の全体をたわませて、パネル板３２を起立位置Ｂに保持するものである。
【手続補正１８】
【補正対象書類名】明細書
【補正対象項目名】００２８
【補正方法】変更
【補正の内容】
【００２８】
すなわち、パネル板３２を９０度以上起立させると、パネル板３２が取っ手３４と干渉する場合、パネル板３２の起立角度を９０度以内に保持するために、パネル板３２を起立位置Ｂで突起３５により押圧してたわませることにより、パネル板３２に負荷を発生させて、その負荷で発生する抵抗によりパネル板３２を起立位置Ｂに安定して保持できる。
【手続補正１９】
【補正対象書類名】明細書
【補正対象項目名】００３１
【補正方法】変更
【補正の内容】
【００３１】
請求項２の発明によれば、突起によりパネル板を無理なく適切な形態でたわませて起立位置に安定して保持することができ、パネル板を起立位置に保持する手段として適切な形態を得ることができる。
【手続補正２０】
【補正対象書類名】図面
【補正対象項目名】図３
【補正方法】変更
【補正の内容】
【図３】
2002374072.tif 000001
【手続補正２１】
【補正対象書類名】図面
【補正対象項目名】図６
【補正方法】変更
【補正の内容】
【図６】
2002374072.tif 000002
【手続補正２２】
【補正対象書類名】図面
【補正対象項目名】図７
【補正方法】変更
【補正の内容】
【図７】
2002374072.tif 000003